(57)【要約】      （修正有）【課題】放熱効果がよく、停電を防ぎ、コストが低く、全体結構の強度が高いＬＥＤウォールランプを提供する。【解決手段】固定ブラケット１、固定板２、ハウジング３、位置決め部４とランプカバー５を含め、固定板２は位置決め部４に固定され、位置決め部４は対称的に第一固定ヒンジ６が二つ設置され、第一固定ヒンジ６にそれぞれに位置決めバー７が設置され、固定ブラケット１に固定ブロック８が設置され、固定ブロック８に位置決めバー７と繋がる第二固定ヒンジ９が二つ設置され、ハウジング３に位置決め板１０が設置され、位置決め板１０にネジの胴部１１が設置され、ネジの胴部１１はハウジング３と固定板２を貫通して設置され、固定板２の上部はネジの胴部１１と合わせるナット１３が設置され、ハウジング３に位置決めブロック１４が設置され、位置決めブロック１４に基板１５が嵌められ、位置決めブロック１４の上部にホルダー１６が設置され、基板１５に貫通したグルーブが設置され、貫通したグルーブに放熱機構１８が設置される。【選択図】図１
0003206508.tif 000002
【実用新案登録請求の範囲】
【請求項１】
LEDウォールランプにおいて、
固定ブラケット、固定板、ハウジング、位置決め部とランプカバーを含み、その固定板は位置決め部に固定され、その位置決め部には対称的に第一固定ヒンジが二つ設置され、その第一固定ヒンジにそれぞれ位置決めバーが設置され、その固定ラックに固定ブロックが設置され、その固定ブロックに位置決めバーと繋がる第二固定ヒンジが二つ設置され、そのハウジングに位置決め板が設置され、その位置決め板にネジの胴部が設置され、そのネジの胴部はハウジングと固定板を貫通して設置され、その固定板の上部にはネジの胴部と合わせるナットが設置され、そのハウジングに位置決めブロックが設置され、その位置決めブロックに基板が嵌められ、その位置決めブロックの上部にホルダーが設置され、そのホルダーの上部はハウジングと抵触し、その基板に貫通したグルーブが設置され、その貫通したグルーブに放熱機構が設置され、その放熱機構に固定カバーが設置され、その固定カバーは基板に固定され、その固定板に貫通した穴が設置され、その貫通した穴はハウジングを貫通して設置され、その貫通した穴に固定ラックが設置され、そのブラケットに放熱ファンが設置され、その放熱機構は内固定リング、外固定リングと放熱板からなっており、その放熱板は内固定リングと外固定リングの間に設置され、その固定カバーは外固定リングに設置され、そのハウジングの下にランプカバーが設置され、その位置決めブロックにスポット板が設置され、そのスポット板はアール形で位置決めブロックに設置され、その位置決めブロックに位置決め板を固定する用の固定ネジ釘が設置され、その固定ネジ釘は位置決めブロックとホルダーを貫通して設置されると共に、ハウジングのネジ山と固定され、その固定板の上部に保護ラックが設置され、その保護ラックの内側に取り付け凸環が設置され、その取り付け凸環に仕切り板が設置され、その仕切り板にバッテリーが設置される
ことを特徴とするLEDウォールランプ。
【考案の詳細な説明】
【技術分野】
【０００１】
本実用新型は一種類の停電を防ぐLEDウォールランプに関わる。
【背景技術】
【０００２】
ウォールランプはウォールに取り付け、照明機能を実現させるランプである。LEDを光源とするウォールランプはエネルギーと環境にやさしくするから、徐々に伝統光源のウォールランプに取って変わってしまった。LED照明技術の発展が日進月歩し、前世紀六十年代から今まで、何代目の変革を経って、今のLED照明市場は既に一定の規模が広がり、上流製品から下流製品まで、一本化の産業システムを形成した。人々の生活レベルが高めていくことに従い、照明製品とするLED ランプはだんだんと人々に受け入れられてしまい、だから、市場でどこでも各規格のLEDウォールランプが見られる。
【０００３】
しかし、現有のLEDウォールランプはしっかりと固定されないし、放熱効果も悪く、LEDランプの使用寿命が短くなってしまい、それは使用者に損失をもたらす。
【考案の概要】
【考案が解決しようとする課題】
【０００４】
本実用新型は解決しようとする技術問題は結構が簡単で、使用が便利で、操作が簡単で、放熱効果がよく、そしてメイン電源を落としてから使用し続けられ、コストが低く、取り付けと取り外しが便利で、全体結構の強度が高く、適用範囲が広く、使用寿命が長く、安全と信頼性を持つ停電を防ぐLEDウォールランプを提供することである。
【課題を解決するための手段】
【０００５】
以上の問題を解決するために、本実用新型は以下の技術方案を採用する。一種類の停電を防ぐLEDウォールランプであり、その特徴としては、固定ブラケット、固定板、ハウジング、位置決め部とランプカバーを含め、その固定板は位置決め部に固定され、その位置決め部は対称的に第一固定ヒンジが二つ設置され、その第一固定ヒンジにそれぞれに位置決めバーが設置され、その固定ブラケットに固定ブロックが設置され、その固定ブロックに位置決めバーと繋がる第二固定ヒンジが二つ設置され、そのハウジングに位置決め板が設置され、その位置決め板にネジの胴部が設置され、そのネジの胴部はハウジングと固定板を貫通して設置され、その固定板の上部はネジの胴部と合わせるナットが設置され、そのハウジングに位置決めブロックが設置され、その位置決めブロックに基板が嵌められ、その位置決めブロックの上部にホルダーが設置され、そのホルダーの上部はハウジングと抵触し、その基板に貫通したグルーブが設置され、その貫通したグルーブに放熱機構が設置され、その放熱機構に固定カバーが設置され、その固定カバーは基板に固定され、その固定板に貫通した穴が設置され、その貫通した穴はハウジングを貫通して設置され、その貫通した穴に固定ブラケットが設置され、そのブラケットに放熱ファンが設置され、その放熱機構は内固定リング、外固定リングと放熱板からなっている。その放熱板は内固定リングと外固定リングの間に設置され、その固定カバーは外固定リングに設置され、そのハウジングの下にランプカバーが設置され、その位置決めブロックにスポット板が設置され、そのスポット板はアール形で位置決めブロックに設置され、その位置決めブロックに位置決め板を固定する用の固定ネジ釘が設置され、その固定ネジ釘は位置決めブロックとホルダーを貫通して設置され、ハウジングのネジ山と固定され、その固定板の上部に保護ラックが設置され、その保護ラックの内側に取り付け凸環が設置され、その取り付け凸環に仕切り板が設置され、その仕切り板にバッテリーが設置される。
【０００６】
優先選択された技術方案をとして、その位置決めブロックに凹むグルーブが設置され、そのランプカバーにその凹むグルーブと合わせる尾錠が設置され、その尾錠が四つ設置され、その位置決めブロックはハウジングと緊密に組み合わせ、その基板の下にLEDランプが設置される。
【０００７】
優先選択された技術方案をとして、その位置決め部にその固定板と合わせるチャックが設置され、その位置決め部に位置決め部と固定板を固定する用の固定ボルトが設置される。
【０００８】
優先選択された技術方案をとして、その固定ブラケットに取り付け板が設置され、その取り付け板に固定と取り付けをしやすい取り付けネジ釘が設置され、その取り付け板と固定ブラケットが溶接して設置される。
【考案の効果】
【０００９】
停電を防ぐLEDウォールランプである本実用新型の効果としては、その結構が簡単で、使用が便利で、操作が簡単で、放熱効果がよく、そしてメイン電源を落としてから使用し続けられ、コストが低く、取り付けと取り外しが便利で、全体結構の強度が高く、適用範囲が広く、使用寿命が長く、安全と信頼性を持っている。
【図面の簡単な説明】
【００１０】
【図１】本実用新型の一種類の停電を防ぐLEDウォールランプの構造説明図。
【図２】本実用新型の一種類の停電を防ぐLEDウォールランプの放熱機構構造図。
【図３】本実用新型の一種類の停電を防ぐLEDウォールランプの局部の拡大図。
【図４】本実用新型の一種類の停電を防ぐLEDウォールランプの位置決め部構造図。
【図５】本実用新型の一種類の停電を防ぐLEDウォールランプの基板構造図。
【考案を実施するための形態】
【００１１】
図１から図５まで展示された一種類の停電を防ぐLEDウォールランプを参照して、固定ブラケット１、固定板２、ハウジング３、位置決め部４とランプカバー５を含め、その固定板２は位置決め部４に固定され、その位置決め部４は対称的に第一固定ヒンジ６が二つ設置され、その第一固定ヒンジ６にそれぞれに位置決めバー７が設置され、その固定ブラケット１に固定ブロック８が設置され、その固定ブロック８に位置決めバー７と繋がる第二固定ヒンジ９が二つ設置され、そのハウジング３に位置決め板10が設置され、その位置決め板10にネジの胴部11が設置され、そのネジの胴部11はハウジング３と固定板２を貫通して設置され、その固定板２の上部はネジの胴部11と合わせるナット13が設置され、そのハウジング３に位置決めブロック14が設置され、その位置決めブロック14に基板15が嵌められ、その位置決めブロック14の上部にホルダー16が設置され、そのホルダー16の上部はハウジング３と抵触し、その基板15に貫通したグルーブ17が設置され、その貫通したグルーブ17に放熱機構18が設置され、その放熱機構18に固定カバー19が設置され、その固定カバー19は基板15に固定され、その固定板２に貫通した穴20が設置され、その貫通した穴20はハウジング３を貫通して設置され、その貫通した穴20に固定ラック21が設置され、その固定ラック21に放熱ファン22が設置され、その放熱機構18は内固定リング23、外固定リング24と放熱板25からなっている。その放熱板25は内固定リング23と外固定リング24の間に設置され、その固定カバー19は外固定リング24に設置され、そのハウジング３の下にランプカバー５が設置され、その位置決めブロック14にスポット板30が設置され、そのスポット板30はアール形で位置決めブロック14に設置され、その位置決めブロック14に位置決めブロック14を固定する用の固定ネジ釘26が設置され、その固定ネジ釘26は位置決めブロック14とホルダー16を貫通して設置され、ハウジング３のネジ山と固定され、その固定板２の上部に保護ラック27が設置され、その保護ラック27の内側に取り付け凸環271が設置され、その取り付け凸環271に仕切り板272が設置され、その仕切り板272にバッテリー273が設置される。
【００１２】
本実用新型の中に一つの比較的に優れた実施例としては、その位置決めブロック14に凹むグルーブ28が設置され、そのランプカバー５にその凹むグルーブ28と合わせる尾錠29が設置され、その尾錠29が四つあり、その位置決めブロック14はハウジング３とピッタリ合わせられ、その基板15の下部にLEDランプ301が設置される。
【００１３】
本実用新型の中に一つの比較的に優れた実施例としては、その位置決め部4に固定板２と合わせるチャック101が設置され、その位置決め部４に位置決め部４と固定板２を固定するための固定ボルト102が設置される。
【００１４】
本実用新型の中に一つの比較的に優れた実施例としては、その固定ブラケット１に取り付け板103が設置され、その取り付け板103に固定と取り付けをしやすいネジ釘104が設置され、その取り付け板103と固定ブラケット１は溶接して固定される。
【００１５】
更には、その放熱機構は内固定リング、外固定リングと放熱板からなっている。そのその放熱板は内固定リングと外固定リングの間に固定され、その固定カバーは外固定リングに設置され、そのハウジングの下部にランプカバーが設置され、その位置決めブロックにスポット板が設置され、そのスポット板はアーチ形であり、位置決めブロックに設置され、その位置決めブロックに位置決めブロックを固定するための固定ボルトが設置され、その固定ボルトは位置決めブロックとホルダーを貫通して設置されてハウジングのネジ山と固定され、その固定板の上部に保護ラックが設置された。その設置された放熱機構設置を通して、ウォールランプを使う時に、放熱板はLEDランプから出た熱量を吸収して、放熱ファンと合わせて設置されて、放熱機構の放熱効果を高める。設置されたハウジングを通して、このランプに保護作用があり、外部の雑物がLEDランプにぶつかって、後は正常に使えない場合を避ける。それには、ハウジングの取り付け構造設置を通して、ハウジングの取り付けと取り外しに対して便利である。本実用新型に述べられたハウジングは透明材質を採取して作成した。設置されたスポット板を通して、このウォールランプの光線照射効果を高められ、乱視現象を避ける。
【００１６】
更には、その位置決めブロックに位置決めブロックを固定するための固定ボルトが設置され、その固定ボルトは位置決めブロックとホルダーを貫通して設置されてハウジングのネジ山と固定される。位置決めブロックはハウジングに設置されてから、その設置されたホルダーと固定ボルトの組み合わせを通して、位置決めブロックをしっかりとハウジングに固定させられ、後はランプカバーとLEDランプの取り付けに対して便利を提供できる。
【００１７】
本実用新型の一種類の停電を防ぐLEDウォールランプは以下のメリットがある。使う時に、位置決め部に固定板と合わせるチャックを設置することを通して、位置決め部に位置決め部の固定板と固定ボルトを設置して、固定板の固定効果を高められる。設置された放熱機構と放熱ファンを通して、このウォールランプの放熱効果を高められる。放熱板の構造装置を通して、放熱板の放熱面積を増加できる。設置されたスポット板を通して、このウォールランプの光線照射効果を高められ、乱視現象を避ける。ハウジングを固定板に固定することを通して、LEDランプの取り付けと取り外しに対して便利を提供できる。そして、構造が固定でしっかりしている。ランプカバーは凹むグルーブとチャックの組み合わせを通して、ランプカバーの取り付けに便利を提供できる。LEDランプに保護作用を与える同時に、外部の雑物がLEDランプにぶつかって、後は正常に使えない場合を避ける。メイン電源が急に落とした時にもバッテリーで電源を提供し続けられる。その結構が簡単で、使用が便利で、操作が簡単で、放熱効果がよく、そしてメイン電源を落としてから使用し続けられ、コストが低く、取り付けと取り外しが便利で、全体結構の強度が高く、適用範囲が広く、使用寿命が長く、安全と信頼性を持っている。
【００１８】
以上述べた通り、それはただ本実用新型の具体的な実施方式であり、本実用新型の保護範囲はそれだけではなく、全ての創造性を持っていない労働から思いついた変化と切り替えは本実用新型の保護範囲に含めるべきだ。つまり、保実用新型の保護範囲は権利要求書に限られた保護範囲を基準にするべきだ。
【図２】
0003206508.tif 000003
【図１】
0003206508.tif 000004
【図３】
0003206508.tif 000005
【図４】
0003206508.tif 000006
【図５】
0003206508.tif 000007
【手続補正書】
【提出日】平成28年7月21日(2016.7.21)
【手続補正１】
【補正対象書類名】実用新案登録請求の範囲
【補正対象項目名】全文
【補正方法】変更
【補正の内容】
【実用新案登録請求の範囲】
【請求項１】
LEDウォールランプにおいて、
固定ブラケット、固定板、ハウジング、位置決め部とランプカバーを含み、その固定板は位置決め部に固定され、その位置決め部には対称的に第一固定ヒンジが二つ設置され、その第一固定ヒンジにそれぞれ位置決めバーが設置され、その固定ブラケットに固定ブロックが設置され、その固定ブロックに位置決めバーと繋がる第二固定ヒンジが二つ設置され、そのハウジングに位置決め板が設置され、その位置決め板にネジの胴部が設置され、そのネジの胴部はハウジングと固定板を貫通して設置され、その固定板の上部にはネジの胴部と合わせるナットが設置され、そのハウジングに位置決めブロックが設置され、その位置決めブロックに基板が嵌められ、その位置決めブロックの上部にホルダーが設置され、そのホルダーの上部はハウジングと抵触し、その基板に貫通したグルーブが設置され、その貫通したグルーブに放熱機構が設置され、その放熱機構に固定カバーが設置され、その固定カバーは基板に固定され、その固定板に貫通した穴が設置され、その貫通した穴はハウジングを貫通して設置され、その貫通した穴に固定ラックが設置され、その固定ブラケットに放熱ファンが設置され、その放熱機構は内固定リング、外固定リングと放熱板からなっており、その放熱板は内固定リングと外固定リングの間に設置され、その固定カバーは外固定リングに設置され、そのハウジングの下にランプカバーが設置され、その位置決めブロックにスポット板が設置され、そのスポット板はアール形で位置決めブロックに設置され、その位置決めブロックに位置決め板を固定する用の固定ネジ釘が設置され、その固定ネジ釘は位置決めブロックとホルダーを貫通して設置されると共に、ハウジングのネジ山と固定され、その固定板の上部に保護ラックが設置され、その保護ラックの内側に取り付け凸環が設置され、その取り付け凸環に仕切り板が設置され、その仕切り板にバッテリーが設置される
ことを特徴とするLEDウォールランプ。